【事件の表示】
　特許第３４５３５４２号「画像形成システム」の請求項１ないし１１に係る特許に対する特許異議の申立てについて、次のとおり決定する。
【結　論】
　特許第３４５３５４２号の請求項１、２、７ないし９に係る特許を維持する。
　請求項３ないし６、１０及び１１についての特許異議の申立てを却下する。
【理　由】
１．手続の経緯
　特許第３４５３５４２号の請求項１〜１１に係る発明についての特許出願は平成１２年１月１７日（国内優先権主張平成１１年２月２日）にされたもので、平成１５年７月１８日にその発明について特許権の設定登録がなされた後、特許異議申立人江原　隆彦より請求項１〜１１に係る発明について特許異議の申立てがなされたものである。
　
２．特許異議の申立ての概要
　異議申立人江原　隆彦は、平成１５年１２月２６日付けで特許異議申立書を提出した。この特許異議申立書には、特許異議申立てに係る請求項として請求項１ないし請求項１１（全請求項）と記載されているが、申立ての理由と証拠方法については、追って補充すると記載されているのみである。
　異議申立人は、平成１６年４月５日付けで特許異議申立理由補充書を提出した。この特許異議申立理由補充書においては、特許異議申立てに係る請求項として請求項１、請求項２、請求項７、請求項８及び請求項９と表示するとともに、申立ての理由と証拠方法として、甲第１号証（特開２０００−７２３２０号公報）をあげて、これらの請求項に係る発明の特許は甲第１号証に記載された発明と同一であるから、特許法第２９条の２の規定により特許を受けることができないものであり、したがって、これらの請求項に係る特許は取り消されるべきである旨主張している。
　
３．特許異議の申立てについての判断
　本件特許については、特許掲載公報が平成１５年１０月６日に発行されているから、特許異議の申立ての理由及び必要な証拠の表示は平成１６年４月６日までに特許異議申立書に記載されなければならないところ、この日に至るまで請求項３ないし請求項６、請求項１０及び請求項１１については、特許異議申立ての対象として特許が取り消されるべき理由を記載していない。したがって、これらの請求項に係る特許異議の申立ては、不適法なものであり、その補正をすることができないものである。
　したがって、請求項３〜６、１０、１１についての特許異議の申立ては、特許法第１２０条の６第１項の規定によって準用する特許法第１３５条の規定により却下すべきものである。
　
　以下、請求項１、２、７〜９についての特許異議の申立てについて検討する。
　
（１）本件発明
　本件請求項１、２、７〜９に係る発明（以下、本件発明１、２、７〜９という。）は、その特許請求の範囲の請求項１、２、７〜９に記載された事項により特定される次のとおりのものである。　
「【請求項１】画像が形成されたシートを積載する第１積載ユニットを有すシート処理装置と、シートに画像を形成する画像形成装置とを含む画像形成システムであって、
　前記シート処理装置に具備された、前記第１積載ユニットに積載されたシートを給送する第１給送手段と、
　前記シート処理装置に具備された、前記第１給送手段により給送された前記第１積載ユニットからのシートを反転する第１反転手段と、
　前記画像形成装置に具備された、複数ページからなる原稿を積載する第２積載ユニットと、
　前記画像形成装置に具備された、前記第２積載ユニットに積載された原稿を先頭頁から順番に給送する第２給送手段と、
　前記画像形成装置に具備された、前記第２給送手段により給送された原稿を読み取る読取手段と、
　前記画像形成装置に具備された、前記読取手段により読み取った原稿画像に基づいた画像をシート上に形成する画像形成手段と、
　前記画像形成装置に具備された、前記画像形成手段によって画像が形成されたシートを画像形成面が下向きになるよう反転する第２反転手段と、
　前記画像形成装置に具備された、前記第２反転手段により画像形成面が下向きにされたシートを排出する排出手段と、
　前記シート処理装置に具備された、前記第１反転手段により反転された前記第１積載ユニットからのシート、及び前記排出手段からのシートを積載する積載手段と、
　前記シート処理装置に具備された、前記積載手段に積載された前記第１積載ユニットからのシートと前記排出手段からのシートとからなる一連のシート束に綴じ処理を行う綴じ処理手段とを有し、
　ユーザが、前記第１積載ユニット及び前記第２積載ユニットにそれぞれシート及び原稿をセットする際に、ユーザから見て画像が上下正しい方向、且つ、画像形成面が上向き、且つ、先頭頁が最上部、且つ、綴じようとする位置が左側になるようセットした場合、前記第１積載ユニットから搬送されるシート及び前記排出手段から搬送されるシートは、画像形成面が下向き、且つ、先頭頁が最下部となるよう前記積載手段に積載されるとともに、
　前記第１積載ユニットから搬送されるシート上の前記綴じようとする位置は、前記綴じ処理手段側となるよう前記積載手段に積載され、
　前記排出手段から搬送されるシート上における、前記原稿上の前記綴じようとする位置に対応する位置は、前記綴じ処理手段側となるよう前記積載手段に積載されることを特徴とする画像形成システム。」
　
「【請求項２】　前記画像形成装置に具備された、前記読取手段により読み取られた原稿画像の補正処理を行う補正手段を有し、
　前記画像形成手段は、前記補正手段により補正処理された画像をシート上に形成することを特徴とする請求項１記載の画像形成システム。」
　
「【請求項７】　前記第１給送手段による前記第１積載ユニットからのシートの給送方向と前記第２給送手段による前記第２積載ユニットからの原稿の給送方向は逆方向であることを特徴とする請求項１記載の画像形成システム。」
　
「【請求項８】　前記第１給送手段はユーザが前記第１積載ユニットにシートをセットする方向から見て前記第１積載ユニットの右側から前記シートを給送し、
　前記第２給送手段はユーザが前記第２積載ユニットに原稿をセットする方向から見て前記第２積載ユニットの左側から給送することを特徴とする請求項７記載の画像形成システム。」
　
「【請求項９】　前記排出手段による前記画像形成手段からのシートの排出動作に先立ち、前記第１給送手段により前記第１積載ユニットに積載されているシートの給送動作を開始することを特徴とする請求項１記載の画像形成システム。」
　
（２）引用例
　本願の優先権主張の日前の他の出願であって、その出願後に出願公開された特願平１０−２４８３２４号（特開２０００−７２３２０号：平成１２年３月７日公開）の願書に最初に添付した明細書および図面（以下「先願明細書」という。）には、図面とともに以下の事項が記載されているものと認められる。
　（ア）「画像形成装置から搬出された画像形成済みの記録シートを順次受け入れて搬送する搬送手段と、受け入れた記録シートを位置決めして積み重ねるスタック手段と、カバーシート載置部に積載収容されたカバーシートを前記スタック手段上に載置するために給送するカバーシート給紙手段と、前記スタック手段上に積み重ねられた記録シート及びカバーシートを綴じ合わせるステープル手段と、前記記録シートとカバーシートとを二つ折り処理するための折り手段とを有するシート後処理装置を備えた画像形成装置であって、前記カバーシート載置部から給送された前記カバーシートを搬送して前記スタック手段上に載置し、次に前記画像形成装置から搬出された画像形成済みの記録シートを順次受け入れて搬送手段により前記スタック手段上に搬送し、前記カバーシートと前記記録シートとを前記スタック手段上に重ね合わせた後、前記ステープル手段及び／又は前記折り手段により後処理し連続して小冊子を作成するオートモード」（２頁２欄２９〜４６行）
　（イ）「【００２１】　図１はシート後処理装置（フィニッシャ）ＦＳと自動原稿送り装置ＤＦとを備えた画像形成装置Ａの全体構成図である。
【００２２】　図示の画像形成装置Ａは、画像読み取り部１、画像処理部２、画像書き込み部３、画像形成部４、カセット給紙部５、大容量給紙部（ＬＣＴ）６、定着装置７、排紙部８、自動両面コピー給紙部（ＡＤＵ）９を備えている。
【００２３】画像形成装置Ａの上部には、自動原稿送り装置ＤＦが搭載されている。画像形成装置Ａの図示の左側面の排紙部８側には、シート後処理装置（フィニッシャ）ＦＳが連結されている。
【００２４】自動原稿送り装置ＤＦの原稿台上に載置された原稿ｄは矢印方向に搬送され画像読み取り部（走査露光装置）１の光学系により原稿の片面又は両面の画像が読みとられ、ＣＣＤイメージセンサ１Ａに読み込まれる。
【００２５】ＣＣＤイメージセンサ１Ａにより光電変換されたアナログ信号は、画像処理部２において、アナログ処理、Ａ／Ｄ変換、シェーディング補正、画像圧縮処理等を行った後、画像書き込み部３に信号を送る。
【００２６】画像書き込み部３においては、半導体レーザからの出力光が画像形成部４の感光体ドラムに照射し、潜像を形成する。画像形成部４においては、帯電、露光、現像、転写、分離、クリーニング等の処理が行われ、カセット給紙部５又は大容量給紙部６から搬送された記録シートＳに画像が転写される。画像を担持した記録シートＳは、定着装置７により定着され、排紙部８からシート後処理装置ＦＳに送り込まれる。或いは搬送路切り替え板８Ａにより自動両面コピー給紙部９に送り込まれた片面画像処理済みの記録シートＳは再び画像形成部４において、両面画像処理後、排紙部８からシート後処理装置ＦＳに送り込まれる。
【００２７】シート後処理装置ＦＳには、図示の上段から、固定排紙皿（トップトレイ）１０、カバーシート給紙手段４０、シフト処理搬送部（大容量排紙搬送部）２０、スタック手段３０、ステープル手段（ステープラ）５０、折り手段６０が、ほぼ垂直方向に縦列配置されている。
【００２８】シート後処理装置ＦＳの図示右上方には入口搬送部７０が配置されている。また、シート後処理装置ＦＳの図示左側面には、端綴じ及びシフト処理済みのシートを記載する可動排紙皿８１と、中綴じ、及び折り処理済みのシートを記載する固定排紙皿８２とが配置されている。」（４頁６欄１９行〜５頁７欄１３行）
　（ウ）「【００３８】（３）第３搬送路(3)（ステープルモード、可動排紙皿８１に排紙）画像形成装置Ａ内で画像形成処理されて、シート後処理装置ＦＳの受け入れ部７１に送り込まれた画像形成済みの記録シートＳは、入口部ローラ対７２、第１の切り替えゲートＧ１の下方の通路７７を通過して、搬送ローラ対７８に挟持されて、第３搬送路(3)に搬送される。
【００３９】第３搬送路(3)において、Ａ４，Ｂ５判より大きい大サイズの記録シートＳが搬送されるとき、ソレノイドＳＤ１が駆動され、記録シートＳは、切り替えゲートＧ２の下方の通路３１Ａを通過して、下流の搬送ローラ対３２により挟持、搬送される。記録シートＳは、更に下流の搬送ローラ対３４（駆動ローラ３４Ａ，従動ローラ３４Ｂ）により挟持されて送り出されて、傾斜配置された中間スタッカ３５の上方空間に放出され、中間スタッカ３５または中間スタッカ３５上に積載された記録シートＳの上面に接し、滑走上昇したのち、搬送ローラ対３４から記録シートＳの後端が排出されたのちには、記録シートＳの自重により下降に転じ、中間スタッカ３５の傾斜面上を滑落し、ステープル手段（ステープラ、綴じ手段）５０近傍の可動ストッパ部材（シート突き当て面）５１に記録シートＳの後端部が当接して停止する。
【００４０】第３搬送路(3)において、Ａ４，Ｂ５判等の小サイズの記録シートＳを、効率よく連続的に搬送してコピー生産性を向上させるため、前記の切り替えゲートＧ１の下方の通路３１Ａに平行する通路３１Ｂと切り替えゲートＧ３とを設けた。
【００４１】切り替えゲートＧ２用のソレノイドＳＤ２、及び切り替えゲートＧ３用のソレノイドＳＤ３を共に駆動させると、切り替えゲートＧ２、Ｇ３の先端部は共に図示の反時計方向に揺動し、通路２１，３１Ａを閉止し、通路３１Ｂを開放する。搬送ローラ対７８から送り出された２枚目の記録シートＳの先端部は、通路３１Ｂを通過して、回転停止状態の搬送ローラ対３４の周面に当接して停止する。
【００４２】次に、ソレノイドＳＤ２の通電がオフになり、切り替えゲートＧ３の先端部が時計方向に揺動し、通路３１Ｂを閉止し、通路３１Ａを開放する。搬送ローラ対７８から送り出された１枚目の記録シートＳの先端部は、通路３１Ｂを通過して、回転停止状態の搬送ローラ対３４の周面に当接して停止する。
【００４３】所定のタイミングをとって、搬送ローラ対３４が駆動回転し、前記の２枚の記録シートＳを挟持して同時に搬送し、中間スタッカ３５上に放出する。
【００４４】３６は中間スタッカ３５の両側面に移動可能に設けた一対の幅整合部材である。幅整合部材３６はシート搬送方向と直交する方向に移動可能であり、記録シートＳが中間スタッカ３５上に放出されるシート受け入れ時には、シート幅より広く開放され、中間スタッカ３５上を滑落して可動ストッパ部材５１に当接して停止するときには、記録シートＳの幅方向の側縁を軽打してシート束の幅揃え（幅整合）を行う。この停止位置において、中間スタッカ３５上に所定枚数の記録シートＳが積載、整合されると、ステープラ５０により綴じ合わせ処理（ステープル処理）が行われ、シート束が綴じ合わされる。
【００４５】前記中間スタッカ３５のシート積載面の一部には切り欠き部が形成されていて、駆動プーリ３７Ａと従動プーリ３７Ｂに巻回された複数の排出ベルト３８が回動可能に駆動される。排出ベルト３８の一部には、排出爪３８ａが一体に形成されていて、その先端部は、図示一点鎖線のように長円軌跡を描く。ステープル処理されたシート束は、排出ベルト３８の排出爪３８ａにより記録シートＳの後端を保持されて、排出ベルト３８上に載せられ、中間スタッカ３５の載置面上を滑走して斜め上方に押し上げられ、排出ローラ対２６のニップ位置に進行する。回転する排出ローラ対２６に挟持されたシート束は、可動排紙皿８１上に排出、積載される。」（５頁８欄１５行〜６頁９行３３行）
　（エ）「【００４６】（４）第４搬送路(4)（カバーシート給紙モード）
　カバーシート給紙手段４０は、給紙トレイ４１、可動底板４２、押し上げレバー４３とから成るカバーシート載置部と、ピックアップローラ４４、フィードローラ４５、捌きローラ４６等から成るカバーシート送り手段とから構成されている。
【００４７】カバーシート給紙手段４０から給紙された１枚のカバーシートＫは、通路４７を通過して、搬送ローラ対７４の駆動ローラ７４Ａと従動ローラ７４Ｃとのニップ位置を通過し、通路７９、搬送ローラ対７８を通過した後、第３通路(3)の搬送ローラ対３２、通路３３、搬送ローラ対３４を経て、中間スタッカ３５上に到達する。
【００４８】搬送ローラ対７４は、中央の駆動ローラ７４Ａと、この駆動ローラ７４Ａに圧接する２個の従動ローラ７４Ｂ，７４Ｃとから構成されている。駆動ローラ７４Ａが図示の左回転駆動すると、従動ローラ７４Ｂは右回転して、通路７３から搬送された記録シートＳを上方に搬送する。同時に、従動ローラ７４Ｃも右回転して、通路４７から搬送されたカバーシートＫを下方の通路７９に搬送する。従って、駆動ローラ７４Ａの駆動回転により、第１搬送路(1)の記録シートＳと、第４搬送路(4)のカバーシートＫとを同時に逆方向に搬送することが可能である。」（６頁９欄３４行〜同１０欄８行）
　（オ）「【００６５】図６はカバーシートＫと記録シートＳの搬送経路と、シート束の中綴じと二つ折り処理過程を示す模式図、図７（ａ）は中綴じと二つ折りの後処理を施した小冊子の斜視図、図７（ｂ）は後処理済みの小冊子を両開きした状態を示す斜視図である。
【００６６】カバーシート給紙手段４０の給紙トレイ４１上には、カバーシートＫが第１面（第１頁ｐ１と第８頁ｐ８）を上側にして載置される。給紙トレイ４１から給紙手段により給送されたカバーシートＫは、前記の第４搬送路(4)及び第３搬送路(3)を通過して搬送され、中間スタッカ３５上に、第１面（ｐ１，ｐ８）を下側にして載置される。
【００６７】次に、画像形成装置Ａから搬出された画像形成済みの記録シートＳは、第１面（第３頁ｐ３，第６頁ｐ６）を下側にして、シート後処理装置ＦＳに導入される。この記録シートＳは、入口搬送部７０から第３搬送路(3)に搬送され、中間スタッカ３５上に載置されたカバーシートＫの上に、第１面を下側にして載置される。
【００６８】中間スタッカ３５上で、カバーシートＫと記録シートＳとが整合され、ステープラ５０によりステープル針ＳＰが打ち込まれて中綴じ処理される。」（７頁１２欄１〜２１行）
　
（３）本件発明１について
　本件発明１の発明を特定する事項である次の事項が、先願明細書には記載されていない。
　（ア）「前記画像形成装置に具備された、前記画像形成手段によって画像が形成されたシートを画像形成面が下向きになるよう反転する第２反転手段と、前記画像形成装置に具備された、前記第２反転手段により画像形成面が下向きにされたシートを排出する排出手段」
　（イ）「ユーザが、前記第１積載ユニット及び前記第２積載ユニットにそれぞれシート及び原稿をセットする際に、ユーザから見て画像が上下正しい方向、且つ、画像形成面が上向き、且つ、先頭頁が最上部、且つ、綴じようとする位置が左側になるようセットした場合、前記第１積載ユニットから搬送されるシート及び前記排出手段から搬送されるシートは、画像形成面が下向き、且つ、先頭頁が最下部となるよう前記積載手段に積載される」
　そして、上記事項により本件発明１は「ユーザによる誤操作を防止し、ユーザに対する操作性を向上させるとともに、積載手段に積載されるシート束における各シートの画像の向き、頁順、及び綴じ位置を一致させることができる」という顕著な効果を奏するものである。
　したがって、本件発明は、先願明細書に記載された発明と同一とは認められない。
　
　なお、（ア）に関して、申立人は「甲第１号証の【００２６】【００６７】欄には、画像形成済みの記録シートＳは第１面を下側にして、画像形成装置Ａの排紙部８からシート後処理装置ＦＳに挿入されることが開示されている。画像形成装置Ａの定着装置７から排紙部８間での間に表裏反転用のパスが設けられていることが【図１】に開示されているため、このパスで画像形成済みの記録シートＳが表裏反転される構成である。」（特許異議申立理由補充書６頁４〜８行）と主張している。
　しかし、先願明細書段落【００２６】には、「或いは搬送路切り替え板８Ａにより自動両面コピー給紙部９に送り込まれた片面画像処理済みの記録シートＳは再び画像形成部４において、両面画像処理後、排紙部８からシート後処理装置ＦＳに送り込まれる。」（上記（２）（イ）参照。）と記載されているのであって、これは記録シートＳの両面に画像が形成されることを前提としており、一方本件発明１においては「画像形成面が下向きになるよう反転する」とあるように一方の面に画像が形成されることを前提としているから、同段落【００２６】の記載は、本件発明１と明細書記載の発明を同一と認める根拠にはならない。
　また、同段落【００６７】には、「画像形成装置Ａから搬出された画像形成済みの記録シートＳは、第１面（第３頁ｐ３，第６頁ｐ６）を下側にして、シート後処理装置ＦＳに導入される。」（上記（２）（オ）参照。）と記載されているが、これも「【００６５】図６はカバーシートＫと記録シートＳの搬送経路と、シート束の中綴じと二つ折り処理過程を示す模式図、図７（ａ）は中綴じと二つ折りの後処理を施した小冊子の斜視図、図７（ｂ）は後処理済みの小冊子を両開きした状態を示す斜視図である。」（上記（２）（オ）参照。）と【図７】の記載からみて、両面に画像が形成されることを前提としている。
　【図１】からは表裏反転用のパスが記載されているかどうか明らかでないが、仮に【図１】中の搬送路切り替え板８Ａの右側から下方に向かう搬送路と同搬送路切り替え板８Ａの左側に下方から上方へのびる搬送路で「反転手段」が形成されるとしても、「搬送路切り替え板８Ａ」が図中の破線で示される位置にあるときはこの「反転手段」が用いられないことが明らかであるから、該記載からは、先願明細書記載の中間スタッカ３５を用いる「ステープルモード」（上記（２）（ウ）参照。）の際にこの「反転手段」が用いられるかどうか明らかでない。（この点については、さらに下記（イ）に関して詳述する。）
　
　上記（イ）に関して、申立人は「甲第１号証の【００６６】欄には、シート後処理装置ＦＳのカバーシート給紙手段４０の給紙トレイ４１条に第１面を上側にして載置されたカバーシートＫが、中間スタッカ３５条に第１面を下側にして載置されることが開示されている。・・・従って、【００６６】〜【００６８】欄の記載は中綴じ処理時の説明ではあるものの、【００３８】〜【００４４】に記載されている端綴じ処理において、カバーシートＫと一緒に画像形成済みの記録シートＳを綴じ処理する場合も、給紙トレイ４１上に載置されたカバーシートＫの上下方向の向きを変えることなく中間スタッカ３５上に載置する構成であることは明らかである。」（特許異議申立理由補充書６頁１２〜２４行）と主張している。
　しかし、先願明細書記載の「中綴じ処理」（上記（２）（オ）参照。）は【図７】にあるような両面に画像が形成されたカバーシートと記録シートから成る週刊誌状の小冊子を目的としており、一方、同段落【００３８】〜【００４４】記載の「ステープルモード」では単なる記録シートの束を綴じ合わせたもの（上記（２）（ウ）段落【００４４】および【００４５】の「シート束」を参照。）を目的としており、目的の違う前者におけるシートの向きに後者におけるシートの向きを合わせているものと認めるべき理由はない。さらに、先願明細書記載の「ステープルモード」では、以下のように記録シートの先頭頁が最上部となるように中間スタッカ上に積載されるものと認められ、記録シートの載置される順番が「中綴じ処理」（【図７】参照。）と全く逆であり、さらに先頭頁が最下部となるように積載される本件発明１とも逆になっている。
　先願明細書記載の「ステープルモード」では、段落【００４４】〜【００４３】の記載および【図３】の記載からみて、まず「２枚目の記録シート」が通路３１Ｂを通過し、次に「１枚目の記録シート」が通路３１Ａを通過（段落【００４２】中の「１枚目の記録シートＳの先端部は、通路３１Ｂを通過し」は直前の「通路３１Ｂを閉止し、通路３１Ａを開放する。」の記載から「１枚目の記録シートＳの先端部は、通路３１Ａを通過し」の誤記と認められる。）し、通路３１Ａは通路３１Ｂの上方にある（【図３】参照。）ことから、「１枚目の記録シート」が上で「２枚目の記録シート」が下に重なった状態で搬送ローラ対３４に当接して停止し、所定のタイミングで両者が同時に中間スタッカ３５上に放出され、中間スタッカ上には１枚目の記録シートが上で２枚目の記録シートが下になって積載されることになり、結局先頭頁が最上部になるように積載されるものである。この場合、記録シートの片面に画像を形成するとすれば先頭頁に近い側の面に画像を形成するものであるから、画像形成面が上向きに載置されているものと認められる。
　また、申立人は「原稿台から画像読み取り部に至る過程で原稿を表裏反転する構成の装置において、画像形成済みの記録シートＳを端綴じ処理する場合であっても、ユーザから見て原稿の画像が上下正しく、綴じようとする位置を左側にして原稿台上に載置可能であることは、例を上げるまでもなく周知であり、・・・カバーシートＫは第１面が下側で綴じようとする位置がステープラ５０側になるように中間スタッカ３５に載置されるとともに、画像形成済みの記録シートＳは画像面が下側で綴じようとする位置がステープラ５０側になるように中間スタッカ３５上に載置される構成であることは明らかである。」（６頁２７〜３５行）と主張している。確かにユーザが原稿台の上に原稿をどのような向きにも載置することは可能であって、また、ユーザからみて原稿の画像が上下正しく、綴じようとする位置を左側に原稿台の上に載置することも周知ではあるが、だからといって、その結果綴じ処理されたシートが正しい順序と向きになるように本件発明１のように構成することが明らかであるとはいえない。
　
（４）本件発明２，７〜９について
　本件発明２、７〜９はいずれも上記（３）（ア）および（イ）を、発明を特定するための事項として含むものであるから、（３）と同様の理由により、本件発明２、７〜９は先願明細書に記載された発明と同一のものとは認められない。
　
（５）むすび
　以上のとおりであるから、特許異議の申立ての理由及び証拠によっては本件発明１、２、７〜９についての特許を取り消すことはできない。
　また、他に本件発明１、２、７〜９についての特許を取り消すべき理由を発見しない。
　さらに、請求項３〜６、１０、１１についての特許異議の申立てについては、不適法な申立てであり、その補正をすることができないものであるので、特許法第１２０条の６第１項の規定によって準用する特許法第１３５条の規定により却下すべきものである。
　よって、結論のとおり決定する。
【異議決定日】
平成１６年６月４日（２００４．６．４）